【事件の表示】
　特許第３１５２１５０号「水栓取付構造」の請求項１、５に係る特許に対する特許異議の申立てについて、次のとおり決定する。
【結　論】
　訂正を認める。
　特許第３１５２１５０号の請求項１に係る特許を維持する。
【理　由】
１．手続の経緯
　本件特許第３１５２１５０号に係る出願は、平成８年６月３日の出願であって、平成１３年１月２６日に特許権の設定登録がなされ、その後、東陶機器株式会社から特許異議の申立てがなされ、取消理由が通知され、その指定期間内である平成１４年３月６日付けで訂正請求書と特許異議意見書が提出された。
　
２．訂正の適否についての判断
（１）訂正の内容
　
（訂正事項ａ）
　特許請求の範囲において、請求項５を削除する。
　段落【０００７】を、
「【課題を解決するための手段】
　本発明の水栓取付構造は、カウンターの水栓取付孔に水栓取付部材を固定し、この水栓取付部材に水栓を上方から係合させて固定した水栓取付構造において、前記水栓取付部材は、筒軸心方向をカウンターと略垂直とした筒状部材であり、前記水栓の底面には、該水栓取付部材が嵌合した凹部が設けられ、該水栓の前面側から該水栓の下部を通って該取付部材にネジ込まれたネジ部材により該水栓が該取付部材に固定されており、該水栓の下部には、該ネジを覆うカバーが水栓外周に沿って回転可能に装着されており、該カバーの水栓後面側の部分には開口又は切欠が設けられており、該開口又は切欠は、該カバーを回すことにより前記ネジに対面しうる位置に設けられていることを特徴とするものである。」
と訂正する。
　
（２）訂正の目的の適否、新規事項の有無及び拡張・変更の存否
　上記訂正事項ａに係る訂正は、請求項を削除するもの、及び、それに伴い明細書の記載の整合を図るもので、特許請求の範囲の減縮及び明りょうでない記載の釈明を目的とするものであり、しかもその訂正は、新規事項の追加に該当せず、実質的に特許請求の範囲を拡張し、又は変更するものではない。
　
（３）むすび
　したがって、上記訂正は、特許法第１２０条の４第２項及び同条第３項において準用する特許法第１２６条第２項及び第３項の規定に適合するので、当該訂正を認める。
　
３．異議の申立てについての判断
（１）本件発明
　上記２．で示したように上記訂正が認められるから、本件の請求項１に係る発明（以下、「本件発明」という。）は、上記訂正に係る訂正明細書の特許請求の範囲の請求項１に記載された事項により特定される以下のとおりのものである。
　
【請求項１】カウンターの水栓取付孔に水栓取付部材を固定し、この水栓取付部材に水栓を上方から係合させて固定した水栓取付構造において、前記水栓取付部材は、筒軸心方向をカウンターと略垂直とした筒状部材であり、前記水栓の底面には、該水栓取付部材が嵌合した凹部が設けられ、該水栓の前面側から該水栓の下部を通って該取付部材にネジ込まれたネジ部材により該水栓が該取付部材に固定されており、該水栓の下部には、該ネジを覆うカバーが水栓外周に沿って回転可能に装着されており、該カバーの水栓後面側の部分には開口又は切欠が設けられており、該開口又は切欠は、該カバーを回すことにより前記ネジに対面しうる位置に設けられていることを特徴とする水栓取付構造。
　
（２）申立ての理由の概要
　申立人東陶機器株式会社は、下記の甲第１号証〜甲第３号証を提出して、訂正前の請求項１及び５に係る発明の特許は、特許法第２９条第２項の規定に違反してされたものであるから、取り消されるべきものである旨主張している。
　甲第１号証：実公平３−２２３６９号公報
　甲第２号証：特開平２−２０３０９０号公報　
　甲第３号証：実願昭６０−３０４７０号（実開昭６１−１４６５６６号）のマイクロフィルム
　
（３）甲各号証の記載事項
　甲第１号証には、「水栓取付固定具」に関して、
（ａ）「水洗台の天板に開孔した取付孔に対して、その上面側から嵌着する上取付板と、その下面側から当てて仮固着する下取付板とからなり、上取付板は、水栓本体の基端部内に嵌まり同基端部に固着される本体部と、同本体部の下部に設けられ前記取付孔内に嵌まる突部とからなり、・・・」（実用新案登録請求の範囲第１項）、
（ｂ）「栓本体１１の基端部内側には、段Ｓによつて区分された下方に開口する円形空間室１５を形成し、その外周２ヶ所には同空間室１５に貫通するネジ挿通孔１６を設ける。１７は栓本体１１を天板１２に取付けるため、同天板１２に開孔した取付孔１８に装着する、この考案に係る取付固定具全体を示し、天板１２の上面側から嵌着する上取付板１９と、下面側から当て適宜接着手段によつて仮固着する下取付板２０とを備える。上取付板１９は、全体が円盤状であって、栓本体１１の基端部内側に形成した前記空間室１５にちようど嵌まる大きさの外径からなる短円筒状の本体部２１と、同本体部２１の下部に設けられ、かつ、本体部２１よりも小径で前記取付孔１８にちようど嵌まる大きさの径からなる突部２２とからなる。本体部２１の周壁２３には、前記挿入孔１６と連通し固定ネジ２４が螺入する貫通ネジ孔２５を設ける。」（第２頁第４欄第３〜２１行）、
（ｃ）「基端部の空間室１５に上取付板１９の本体部２１を嵌着させ、かつ、ネジ孔２５と挿入孔１６とが連通するように位置決めする。両孔２５，１６が連通したところでに固定ネジ２４を螺入する。よつて、栓本体１１は、上下の取付板１９，２０により天板１２に堅固に固定される。」（第３頁第５欄第２２〜２８行）
（ｄ）「水栓設置のための締め付け作業がすべて天板上面側から行うことができる。」（第４頁第７欄第１６〜１７行）
と、記載され、これらの記載及び第１〜３図の記載を含む明細書全体の記載からみて、甲第１号証には、「水洗台の天板の取付孔に上取付板を固定し、この上取付板に水栓を上方から係合させて固定した水栓取付構造において、前記上取付板は、筒軸心方向を水洗台の天板と略垂直とした短円筒状部材であり、前記水栓の底面には、該上取付板が嵌合した円形空間室が設けられ、該水栓の外周２ヶ所から該水栓の下部を通って該上取付板にネジ込まれた固定ネジにより該水栓が該上取付板に固定されている水栓取付構造」の発明が記載されている。
　甲第２号証には、「コック本体の２部分を組立てるための安全装置」に関して、
（ａ）「多くのコックの本体は２部分を組立てて構成され、一方の部分は支持体に固定され、他方の部分は蛇口を有する。」（第２頁左上欄第８〜１０行）、
（ｂ）「この装置は、軸方向に相互に嵌合する２部分が放射方向ネジによつて組立てられ、これらのネジはリングの下に隠され、このリングは回転自在であるが軸方向に固定され、前記リングは前記ネジに近接するための孔を有する。従つて、コックを分解するためには前記のリングを逐次回転して前記の孔を前記ネジのヘッドに対向させる必要がある。」（第２頁左上欄第１６行〜右上欄第４行）、
（ｃ）「コック本体は２部分１、２に分割され、部分１はベースを成して支持体・・・上に固着され、部分２は前記の部分１上に軸方向に係合して通常の蛇口・・・を備えている。」（第２頁右上欄第１５〜１９行）、
（ｄ）「部分２は、リング６の下に隠された複数の放射方向ネジ５によつて部分１の上に保持されている。・・・リング６はコック本体回りに枢転自在であり、孔９を有し、この孔９はリングの枢転によつて各ネジ５のヘッドと一致させられる事ができる。」（第２頁左下欄第４〜１１行）
と、図面と共に記載されている。
　甲第３号証には、「洗面容器台用の交換式吐水装置」に関して、
（ａ）「吐水器具２の下部には、連結用ボス６・・・が設けられている。・・・連結用ボス６の側部には１個または２個程度の止めピン８が設置されている。吐水金具１の上部には，連結用ボス６の止めピン８に適合する切欠部９が設けてあり、そしてこの切欠部の円周方向の末端に係止穴１０が設けてある・・・。・・・カバー１６は該切欠部９，１０およびピン８を覆うデザイン用のカバーである。」（第４頁第２〜１５行）
と、図面と共に記載されている。
　
（４）対比・判断
　本件発明と甲第１号証記載の発明を対比すると、甲第１号証記載の発明の「水洗台の天板」、「取付孔」、「上取付板」、「短円筒状部材」、「円形空間室」及び「固定ネジ」は、それぞれ、本件発明の「カウンター」、「水栓取付孔」、「水栓取付部材」、「筒状部材」、「凹部」及び「ネジ部材」に相当するから、両者は、カウンターの水栓取付孔に水栓取付部材を固定し、この水栓取付部材に水栓を上方から係合させて固定した水栓取付構造において、前記水栓取付部材は、筒軸心方向をカウンターと略垂直とした筒状部材であり、前記水栓の底面には、該水栓取付部材が嵌合した凹部が設けられ、該水栓の下部を通って該取付部材にネジ込まれたネジ部材により該水栓が該取付部材に固定されている水栓取付構造の点で一致し、下記の点で相違する。
　相違点１：本件発明では、水栓の前面側から水栓の下部を通って取付部材にネジ込まれたネジ部材により水栓が取付部材に固定されているのに対し、甲第１号証記載の発明では、水栓の外周２ヶ所から水栓の下部を通って取付部材にネジ込まれたネジ部材により水栓が取付部材に固定されている点
　相違点２：本件発明では、水栓の下部には、ネジを覆うカバーが水栓外周に沿って回転可能に装着されており、カバーの水栓後面側の部分には開口又は切欠が設けられており、開口又は切欠は、カバーを回すことによりネジに対面しうる位置に設けられているのに対し、甲第１号証記載の発明では、ネジを覆うカバーについて記載されていない点
　
　相違点１について検討すると、水栓の前面側から水栓の下部を通って取付部材にネジ込まれたネジ部材により水栓が取付部材に固定されている点について、甲第１号証には何ら記載されていないし示唆もされていない。さらに、甲第２及び３号証のいずれにも、この点について、記載も示唆もされていない。そして、本件発明は、この構成を備えることにより、明細書記載の顕著な作用効果を奏するものである。
　したがって、相違点２について検討するまでもなく、本件発明は、上記相違点１により、甲第１〜３号証記載の事項に基いて当業者が容易に発明をすることができたものであるとすることはできない。
　
　なお、異議申立人は平成１４年３月７日付け上申書と共に、水栓を前方からのみネジで取り付ける公知文献として米国特許第４４６３４６０号明細書と欧州特許出願公開第５０３５８５号明細書を提出したが、いずれの文献も、ネジは設けられているものの、本件発明の「水栓」に相当すると認められる部材の前面側に設けられているか否か明確に記載されていないので、「水栓の前面側から・・・取付部材にネジ込まれたネジ部材により」水栓が取付部材に固定される点について、記載されているとは認められない。
　
４．むすび
　以上のとおりであるから、特許異議の申立ての理由によっては本件発明についての特許を取り消すことはできない。
　また、他に本件発明についての特許を取り消すべき理由を発見しない。
　よって、結論のとおり決定する。
【異議決定日】
平成１４年６月１４日（２００２．６．１４）
【訂正の要旨】
訂正の要旨
（１）特許請求の範囲において、特許請求の範囲の減縮を目的として、請求項５を削除する。
（２）段落【０００７】を、明りょうでない記載の釈明を目的として、
「【課題を解決するための手段】
　本発明の水栓取付構造は、カウンターの水栓取付孔に水栓取付部材を固定し、この水栓取付部材に水栓を上方から係合させて固定した水栓取付構造において、前記水栓取付部材は、筒軸心方向をカウンターと略垂直とした筒状部材であり、前記水栓の底面には、該水栓取付部材が嵌合した凹部が設けられ、該水栓の前面側から該水栓の下部を通って該取付部材にネジ込まれたネジ部材により該水栓が該取付部材に固定されており、該水栓の下部には、該ネジを覆うカバーが水栓外周に沿って回転可能に装着されており、該カバーの水栓後面側の部分には開口又は切欠が設けられており、該開口又は切欠は、該カバーを回すことにより前記ネジに対面しうる位置に設けられていることを特徴とするものである。」
と訂正する。
（５４）【発明の名称】
水栓取付構造
（５７）【特許請求の範囲】
　【請求項１】　カウンタ−の水栓取付孔に水栓取付部材を固定し、この水栓取付部材に水栓を上方から係合させて固定した水栓取付構造において、
　前記水栓取付部材は、筒軸心方向をカウンターと略垂直とした筒状部材であり、
　前記水栓の底面には、該水栓取付部材が嵌合した凹部が設けられ、
　該水栓の前面側から該水栓の下部を通って該取付部材にネジ込まれたネジ部材により該水栓が該取付部材に固定されており、
　該水栓の下部には、該ネジを覆うカバーが水栓外周に沿って回転可能に装着されており、
　該カバーの水栓後面側の部分には開口又は切欠が設けられており、
　該開口又は切欠は、該カバーを回すことにより前記ネジに対面しうる位置に設けられていることを特徴とする水栓取付構造。
　【請求項２】　請求項１において、前記開口又は切欠を通して、前記カバーの回転を阻止するための部材が前記水栓の下部に係着されていることを特徴とする水栓取付構造。
　【請求項３】　請求項１または２において、前記取付部材は、前記カウンターの水栓取付孔に挿通された取付筒であり、
　該取付筒から突設されたフランジと該取付筒の下部に螺着されたナットとによってカウンターの水栓取付孔の周縁部を上下から挟持して該カウンターに固定されていることを特徴とする水栓取付構造。
　【請求項４】　請求項１又は２において、前記取付部材は、前記水栓取付孔に挿通されたボルトと、前記カウンターの下面に該ボルトを係止させている係止部材と、該カウンターよりも上方において該ボルトにネジ込まれたナットとによってカウンターに固定されていることを特徴とする水栓取付構造。
【発明の詳細な説明】
　【０００１】
　【発明の属する技術分野】
　本発明はカウンタ−に水栓を取り付けた水栓取付構造に関する。詳しくは、本発明は、カウンタ−に固定した取付部材によって水栓をカウンタ−に上方からの作業で容易に取り付けることができるようにした水栓取付構造に関する。
　【０００２】
　【従来の技術】
　カウンタ−に水栓を上方からの作業で取り付ける水栓取付構造の従来例として、第７図に示す実公平７−７４０７号公報記載のものがある。
　【０００３】
　第７図において、カウンタ−５０に水栓取付孔５１が穿孔され、口金５２が上方から嵌入されている。この口金５２には外向きの上鍔５３と内向きの下鍔５４とが設けられ、該上鍔５３が水栓取付孔５１の上縁に係止されている。この上鍔５３がボルト５５によってカウンタ−５０に固定されている。水栓５６の下部の雄ねじ部５６ａに筒形ナット状の環体５７が螺嵌している。この環体５７の下端に設けられたフランジ５８が前記下鍔５４に当接している。
　【０００４】
　口金５２の内周面に雌ねじが刻設されており、この雌ねじに押え環５９が上方から螺着されている。この押え環５９を十分に螺じ込むことにより、環体５７のフランジ５８が該押え環５９と前記口金５２の下鍔５４との間で挟圧され、これによって水栓５６がカウンタ−５０に固定される。
　【０００５】
　【発明が解決しようとする課題】
　上記従来の水栓取付構造においては、カウンタ−に口金５２を取り付けるためのボルト５５や、押え環５９あるいは上鍔５３が目立ち、著しく見栄えが悪い。
　【０００６】
　本発明は、水栓をカウンタ−に容易に固定することができ、しかも取付用の部材が目立たず極めて見栄えが良い水栓取付構造を提供することを目的とする。
　【０００７】
　【課題を解決するための手段】
　
本
　【０００８】
　かかる水栓取付構造においては、取付部材に対し水栓が外嵌しており、取付部材が全て見えない。また、水栓を取付部材に固定するためのネジ部材がカバーによって覆われるため、ネジ部材も全て見えない。
　【０００９】
　本発明では、開口又は切欠を通して、前記カバーの回転を阻止するための部材が前記水栓の下部に係着されていることが好ましい。
　【００１０】
　本発明の一態様では、取付部材は、前記カウンターの水栓取付孔に挿通された取付筒であり、該取付筒から突設されたフランジと該取付筒の下部に螺着されたナットとによってカウンターの水栓取付孔の周縁部を上下から挟投して該カウンターに固定されている。
　【００１１】
　本発明の別の態様では、取付部材は、前記水栓取付孔に挿通されたボルトと、前記カウンターの下面に該ボルトを係止させているＵ型座金などの係止部材と、該カウンターよりも上方において該ボルトにネジ込まれたナットとによってカウンターに固定されている。
　【００１２】
　【発明の実施の形態】
　第１図は実施の形態に係る水栓設置構造を示す断面図である。
　【００１３】
　カウンター１のバックガード２とシンク３との間に水栓取付孔４が設けられ、この水栓取付孔４に取付部材としての取付筒５がナット６によって固定されている。この取付筒５は、水栓取付孔４を上下に貫通する長さを有しており、フランジ５ａをカウンター１の上面にパッキンを介して当接させている。
　【００１４】
　取付筒５の下部外周面に雄ネジが刻設されており、パッキン及びスライドワッシャ７を介してナット６を締め込むことにより、該取付筒５がカウンター１に堅固に固定される。なお、取付筒５の上部のうち、カウンター１の正面を指向する部分に雌ネジ孔８が設けられている。
　【００１５】
　この取付筒５の該フランジ５ａよりも上側の部分に水栓１０が嵌合し、ネジ９によってネジ留めされている。このネジ９は、雌ネジ孔８にネジ込まれている。
　【００１６】
　この水栓１０は、台所用シングルレバー湯水混合水栓であり、給湯管１１及び給水管（図示略）が接続された水栓ボディ１２と、該水栓ボディの上側に配置されたミキシング機構１３と、該ミキシング機構１３を操作するためのハンドル１４と、ミキシング機構１３を囲むケースアッパー１５と、吐水管１６を一体に備えたケースミドル１７と、ケースアッパー１５に被さるケーストップ１８等よりなる。
　【００１７】
　水栓ボディ１２は、取付筒５に外嵌する内孔１９ａを有した筒状のボディロワー１９と、該ボディーロワー１９から立上るボディミドル２０と、該ボディミドル２０の上側のボディアッパー２１とを備えている。
　【００１８】
　前記給湯管１１及び給水管に連なる給湯孔２２及び給水孔（図示略）がボディミドル２０からボディアッパー２１を貫通し、ミキシング機構１３の固定弁体２３の給湯ポート及び給水ポートに連通している。ハンドル１４を上下左右に回動させることにより、この給湯ポート及び給水ポートと混合水流出ポートとの連通状態が可動弁体２４によって切り替えられることにより、ボディアッパー２１に設けられた混合水路２５への流出水（混合水）の水温及び水量が調節される。混合水は、ケースミドル１７内の混合水室２６を経て吐水管１６の先端から吐出される。
　【００１９】
　ボディロワー１９に筒状の装飾カバー２８が外嵌されており、この装飾カバー２８は水栓１０の背後側のカバー固定ネジ２９によってボディロワー１９に固定されている。装飾カバー２８には、このネジ２９が挿通された開口３０が設けられている。また、ボディロワー１９には、ネジ２９が螺合した雌ネジ孔３１と、前記ネジ９が挿通された素孔３２とが設けられている。
　【００２０】
　第２図の通り、取付筒５は、カウンター１の工場出荷時に予めナット６によってカウンター１に固定されているが、現場で取付筒５をカウンター１に固定しても良い。
　【００２１】
　水栓１０をカウンター１に固定するには、まず、カバー２８を回し、開口３０と素孔３２とを対面させておく。次いで、カウンター１に固定された取付筒５に対しボディロワー１９の内孔１９ａを上方から外嵌させる。次いで、第３図の如く開口３０を通してネジ９を素孔３２から雌ネジ孔８に強くネジ込む。
　【００２２】
　しかる後、カバー２８を１８０°回転させ、開口３０を雌ネジ孔３１に対面させ、ネジ２９を該雌ネジ孔３１に螺じ込む。これにより、水栓１０がカウンター１に固定される。
　【００２３】
　第３図の如く、ネジ９を雌ネジ孔８にネジ込むときには、ドライバ等の工具を水栓１０の正面から操作でき、この際、工具の手許はシンク３内に配置されるため、工具を操作し易く、ネジ９を簡単にしかも強く締め込むことができる。
　【００２４】
　水栓１０は、この正面側のネジ９によって取付筒５に堅固に固定されるものであるから、カバー固定ネジ２９は単に装飾カバー２８を回り止めするだけのものであり、雌ネジ孔３１に軽くネジ込まれるだけで良い。従って、ネジ２９は例えば作業者が指先でつまんで回し、必要に応じＬ型の工具で軽く締める程度で良く、バックガード２が水栓１０に近接していてもネジ２９を容易に装着できる。
　【００２５】
　このネジ２９の頭は装飾カバー２８の外面に露出しているが、このネジ２９は水栓１０の真後に位置するため、シンク３の使用者には視覚されず、見栄えが損なわれることも全くない。
　【００２６】
　第４図は別の実施の形態を示す断面図、第５図は取付部材のカウンターへの取付構造を示す分解斜視図である。
　【００２７】
　この取付部材としての取付筒３５は、カウンター１の上側に配置される短い筒状のものであり、筒部３６と、該筒部３６の下部から突設されたフランジ部３７と、筒部３６の下端から突設された環部３８とを備えている。この筒部３６のカウンター１の正面側に雌ネジ孔３９が設けられている。
　【００２８】
　この取付筒３５は、Ｕ形座金４０、長ボルト４１、ナット４２及びワッシャ４３、４４を用いてカウンター１に固定されている。
　【００２９】
　第４図のその他の構成は第１図と同様であり、同一符号は同一部分を示している。
　【００３０】
　第４図のように水栓１０をカウンター１に固定する場合にも、取付筒３５をカウンター１に固定しておき、まずボディロワー１９の内孔１９ａを該取付筒３５に外嵌させ、装飾カバー２８の開口３０を水栓１０の正面側としておき、ネジ９を素孔３２から雌ネジ孔３９にネジ込む。その後、装飾カバー２８を１８０°回し、カバー固定ネジ２９を開口３０を通して雌ネジ孔３１にネジ込む。
　【００３１】
　この実施の形態によっても、水栓１０をカウンター１に美栄え良く、堅固にしかも容易に取り付けることができる。
　【００３２】
　なお、第４、５図の場合、取付筒３５はカウンター１の上方側からの作業だけでカウンター１に取付可能である。即ち、Ｕ型座金４０は水栓取付孔４を通過可能であり、第５図の如く長ボルト４１にナット４２を締めることにより、Ｕ型座金４０がカウンター１に固定される。従って、この取付筒３５は現場でもカウンター１に容易に固定できる。
　【００３３】
　上記実施の形態にあっては、雌ネジ孔８、３９は取付筒５、３５の真正面に１個だけ設けられているが、例えば第６図の如く、正面側からドライバ等の工具を支障なく操作できる範囲に複数個の雌ネジ孔８（８ａ，８ｂ）を設けても良い。
　なお、第６図のように２個の雌ネジ孔８ａ、８ｂを設けた場合、装飾カバー２８の開口３０をまず一方の雌ネジ孔８ａに対面させてネジ９を雌ネジ孔８ａに差し込み、次いで装飾カバー２８を角度θだけ回して開口３０を雌ネジ孔８ｂに対面させ、ネジ９を雌ネジ孔８ｂにネジ込み、しかる後開口３０が水栓１０の真後にくるように装飾カバー２８を回す。雌ネジ孔８が３個以上ある場合も同様にすれば良い。
　【００３４】
上記実施の形態にあっては、カバー２８に開口３０が設けられているが、開口の代わりに切欠が設けられても良い。
　【００３５】
　上記実施の形態にあってはシングルレバー湯水混合水栓が用いられているが、カウンター直上の部分が円筒状ないし円柱状となっている水栓であれば、種類を問わず本発明構造に採用できる。
　【００３６】
　上記実施の形態ではカバー固定ネジ２９が用いられているが、ピンなどを孔３１に挿入してカバー２８の回転を防止するようにしても良い。
　【００３７】
　【発明の効果】
　以上の通り、本発明の水栓取付構造によると、水栓を上方からカウンタ−に容易にしかも堅固に取り付けることができる。また、取り付け後の見栄えも極めて良いものとなる。
【図面の簡単な説明】
　【図１】
　実施の形態を示す縦断面図である。
　【図２】
　実施の形態を示す分解図である。
　【図３】
　実施の形態を示す取付作業説明図である。
　【図４】
　別の実施の形態を示す断面図である。
　【図５】
　図４の実施の形態における取付筒固定構造を示す斜視図である。
　【図６】
　取付筒の他の例を示す斜視図である。
　【図７】
　従来例を示す断面図である。
　【符号の説明】
　１　カウンター
　２　バックガード
　３　シンク
　４　水栓取付孔
　５，３５　取付筒
　９　ネジ
　１０　水栓
　１６　吐出管
　１９　ボディロワー
　２８　カバー
　２９　カバー固定ネジ
　３０　開口
　３１，３２，３９　雌ネジ孔
　４０　Ｕ型座金